(57)【要約】【課題】  比較的安価に済み有効な避難場所として機能を発揮できる津波からの避難装置を提供すること。【解決手段】  地盤に埋設されたコンクリート基礎を介して立ち上がるようにして立設される支柱と、津波発生時の想定水位を超えるべく支柱の高い位置に設けられた高所避難場所と、地上からの避難者を高所避難場所に導くことのできる昇降手段と、支柱防護手段とを備え、前記支柱防護手段は、前記支柱の基部まわりにおいて上面が球面の一部の形状をして地盤上に盛り上がり下部が地盤内に埋設固着された状態のカバーリング基礎として構成されていることを特徴とする。【選択図】図２
2010150916.tif 000002
【特許請求の範囲】
【請求項１】
地盤に埋設されたコンクリート基礎を介して立ち上がるようにして立設される支柱と、津波発生時の想定水位を超えるべく支柱の高い位置に設けられた高所避難場所と、地上からの避難者を高所避難場所に導くことのできる昇降手段と、支柱防護手段とを備え、前記支柱防護手段は、前記支柱の基部まわりにおいて上面が球面の一部の形状をして地盤上に盛り上がり下部が地盤内に埋設固着された状態のカバーリング基礎として構成されていることを特徴とする津波からの避難装置。
【請求項２】
請求項１記載のものにおいて、カバーリング基礎内には、支柱側から延びた骨材が埋設されている津波からの避難装置。
【請求項３】
地盤に埋設されたコンクリート基礎を介して立ち上がるようにして立設される支柱と、津波発生時の想定水位を超えるべく支柱の高い位置に設けられた高所避難場所と、地上からの避難者を高所避難場所に導くことのできる昇降手段と、支柱防護手段とを備え、前記支柱防護手段は、コンクリート基礎側から支柱の基部まわりを取り囲むように立ち上がる複数本のアンカーと、これらのアンカーを互いに結合する連結材とでなることを特徴とする津波からの避難装置。
【発明の詳細な説明】
【技術分野】
【０００１】  本発明は、津波からの避難装置に関する。
【背景技術】
【０００２】  古来から巨大地震が発生すると当然のように津波（非常事態の１つ）が発生し、この津波は海岸線から押し寄せて大勢の人や民家などを呑み込み甚大なる被害を与えてきたことはよく知られている。
【発明の開示】
【発明が解決しようとする課題】
【０００３】  しかし、これまでは、大規模な堤防や水門を造って津波に対処するだけで、安価で有効な津波対策は講じられていなかったのが実状である。
【課題を解決するための手段】
【０００４】  上記課題を解決するため、請求項１記載の発明は、地盤に埋設されたコンクリート基礎を介して立ち上がるようにして立設される支柱と、津波発生時の想定水位を超えるべく支柱の高い位置に設けられた高所避難場所と、地上からの避難者を高所避難場所に導くことのできる昇降手段と、支柱防護手段とを備え、前記支柱防護手段は、前記支柱の基部まわりにおいて上面が球面の一部の形状をして地盤上に盛り上がり下部が地盤内に埋設固着された状態のカバーリング基礎として構成されていることを特徴とする。
請求項２記載の発明は、請求項１記載のものにおいて、カバーリング基礎内には、支柱側から延びた骨材が埋設されている。
請求項３記載の発明は、地盤に埋設されたコンクリート基礎を介して立ち上がるようにして立設される支柱と、津波発生時の想定水位を超えるべく支柱の高い位置に設けられた高所避難場所と、地上からの避難者を高所避難場所に導くことのできる昇降手段と、支柱防護手段とを備え、前記支柱防護手段は、コンクリート基礎側から支柱の基部まわりを取り囲むように立ち上がる複数本のアンカーと、これらのアンカーを互いに結合する連結材とでなることを特徴とする。
【発明の効果】
【０００５】  本発明によれば、比較的安価に済み有効な避難場所として機能を発揮できる津波からの避難装置を提供することができる。
【発明を実施するための最良の形態・実施例】
【０００６】  図１から図３は、本発明に係る津波からの避難装置の一実施形態を示す。以下、こうした他の実施形態でも同様に適用できることを意味する表示として、適用される文の段落後に上記のような…Ａを付すものとする。
図１から図３の実施形態は、支柱４６を連結梁４７で連結したタワー構造物に作用する津波Ｘの掬いおよび浮揚力に対するものである。図２および図３がその具体例で、支柱４６は、地盤４８内に埋め込まれたコンクリート基礎４９上にフランジ５０を介してアンカー５１で連結固定されているが、支柱４６の基部に、先端が下向きに湾曲するアングル材などによる骨材５２を放射状に伸びた形で固定し、これら骨材５２を埋め込むようにモルタルやコンクリート、アスファルトなどによりカバーリング基礎５３を付設したものである。この場合、同基礎５３の上面は球面の一部で形成されるとともに下部が地盤４８内に埋設された状態にして、津波Ｘの流れがその上を通過しタワー基部を掬い上げないようにしてある。また、同基礎５３の付加により前支柱４６の浮揚が阻止される。アンカー５１と骨材５２とはアンカー５１を長くすることで互いに連結することができる…Ａ。
【０００７】  図４の実施形態は、骨材５２を水平にしたもので、フランジ（孔付きでもよい）にしてもよい。
【０００８】  図５の実施形態は、線条材５６によりタワー構築体を引張支持する方式のものにおいて、同線条材５６が津波Ｘなどの流れで掬い上げられずしかも切断されないように防護をする施工方法およびその構造に関する。すなわち、５７は地盤で、同地盤５７に穴５８を掘り下げ、その底を介して補助杭５９付きで本杭６０を打ち込み、この本杭６０に線条材５６の端部を連結したあと、コンクリート（あるいはモルタルやアスファルト、岩石など）６１を埋設固着する。その前に線条材５６の地表面を境にする高さ位置に孔付き球体６２を備え付けておき、コンクリート６１と同時に下部を埋設するようにする。球体６２は、コンクリートや、ゴム、樹脂などでなり、上下に（あるいは周方向）に分割形で合体する方式のものでもよい。その上に更に球体６２を付加してもよい。また、線条材５６まわりにはゴムや樹脂チューブなどの防護材６３を被せてより完全な防護をしてもよい…Ａ。
【０００９】  尚、線条材５６を地盤に直接打ち込んだ杭により連結固定する場合には、その周りにモルタル等を流し固めて球面状あるいは円錐状に防護することができる…Ａ。
【００１０】  図６の実施形態において、６６は支柱、６７はフランジ、６８はコンクリート基礎、７１はアンカー（ボルト）であり、この場合、アンカー７１は上に短いものでなくロングボルトによりなり、これらが支柱６６の外周を囲うようにして防護を構成するものにしてある。これらアンカー７１は相互に連結材６９で結合してもよいし、その内周空間に廃タイヤなどの緩衝材やコンクリートなどを投入保持するようにしてもよい。アンカー７１は高ナットで上下を連結してもよい。尚、仮想線７０は地盤で、支柱６６の基部がこの地盤７０と同等の高さである場合と地盤７０の中に低い埋設される場合とがあることを示している…Ａ。
【図面の簡単な説明】
【００１１】
【図１】現行のタワー式構築体を示す模式斜視図。
【図２】本発明の一実施形態を示す要部縦断面図。
【図３】図２の横断面図。
【図４】他の実施形態を示す縦断面図。
【図５】他の実施形態を示す縦断面図。
【図６】他の実施形態を示す模式図。
【図１】
2010150916.tif 000003
【図２】
2010150916.tif 000004
【図３】
2010150916.tif 000005
【図４】
2010150916.tif 000006
【図５】
2010150916.tif 000007
【図６】
2010150916.tif 000008